(57)【要約】【課題】異なる音質が得られるスピーカーシステムを提供すること。【解決手段】第１空間部１ａと第２空間部１ｂに、キャビネット１内に延出される所要長さの管状のポート１２を設け、開口部１２ａ同士を連通させる第１の蓋状部材２１、開口部１２ａ同士夫々を閉塞させる第２の蓋状部材２２、開口部１２ａ同士夫々を個々に外部と連通させる第３の蓋状部材２３を用意して、これらの蓋状部材２１、２２，２３の選択的に使用、あるいは、蓋状部材２１…の不使用によって、異なる音道を形成する。【選択図】図１
2007243534.tif 000002
【特許請求の範囲】
【請求項１】
キャビネット内に隔壁が設けられて、少なくとも第１空間部と第２空間部とが形成され、その第１空間部と第２空間部の双方にスピーカーが配設されてなるスピーカーシステムであって、
前記第１空間部及び前記第２空間部を形成させる壁面に設けられ、外部と連通された一対の開口部と、
前記キャビネットの外面からその開口部同士を被装可能に、かつ、着脱可能に形成され、な蓋状部材と
を備えてなり、
前記蓋状部材の使用の有無によって異なる音道を形成させることを特徴とするスピーカーシステム。
【請求項２】
前記開口部に、前記キャビネット内に延出されるポートが設けられていることを特徴とする請求項１記載のスピーカーシステム。
【請求項３】
前記蓋状部材は、前記開口部同士を連通可能に形成されていることを特徴とする請求項１または２記載のスピーカーシステム。
【請求項４】
前記蓋状部材は、前記開口部同士を閉塞可能に形成されていることを特徴とする請求項１または２記載のスピーカーシステム。
【請求項５】
前記蓋状部材は、前記開口部同士の夫々が外部へ連通するように形成されていることを特徴とする請求項１または２記載のスピーカーシステム。
【請求項６】
前記蓋状部材は、前記開口部同士の夫々が前記スピーカー前面側に向かって外部へ連通するように形成されていることを特徴とする請求項１または２記載のスピーカーシステム。
【請求項７】
前記蓋状部材は、請求項３〜６の何れかの蓋状部材を選択的に使用可能に複数個からなることを特徴とするスピーカーシステム。
【請求項８】
前記開口部は、前記第１空間部及び前記第２空間部を形成させる壁面のうち、前記スピーカーの背面側となる夫々の壁面に形成されてなることを特徴とする請求項１〜７の何れかに記載のスピーカーシステム。
【請求項９】
キャビネット内に隔壁を設けて形成した少なくとも第１空間部と第２空間部の双方にスピーカーを配設し、前記第１空間部及び前記第２空間部を形成した壁面の双方に外部と連通した開口部を設け、その開口部同士を連通、その開口部同士夫々を閉塞、その開口部同士夫々を個々に外部と連通して、音道を形成したことを特徴とするスピーカーシステムにおける音道形成方法。
【発明の詳細な説明】
【技術分野】
【０００１】
本発明は、スピーカーシステム及び音道形成方法に関する。
【背景技術】
【０００２】
スピーカーシステムは、低音域の量感を増すために、例えば、離間して配設された左右チャンネルの各キャビネットを、スピーカを収納する第１のキャビティーと、第１のキャビティーと障壁によって隔てられた第２のキャビティーと、第１のキャビティーに設けられた第１のキャビティーと第２のキャビティーとを連通させるための第１ダクトと、第２のキャビティーに設けられた外部空間と連通させるための第２ダクトとで構成し、さらに、各キャビネットの第２のキャビティー同士を接続ダクトで連通させたスピーカーシステムがある（例えば特許文献１参照）。
【０００３】
【特許文献１】特開２００４−３２０２０７公報（第２頁、図１）
【発明の開示】
【発明が解決しようとする課題】
【０００４】
上記した従来のスピーカーシステムは、低音再生限界を下げ、音圧特性の改善が望める好適なものと思料するが、しかしながら、従来のスピーカーシステムは、夫々のスピーカーキャビネット同士を、パイプ状の接続ダクトで連通させて、夫々のスピーカーキャビネット同士を音道で結んでいるのみなので、換言すれば、他の音質が得られる構造にはなっていなかった。
【０００５】
そこで本発明は、このような状況に鑑みてなされたものであり、上記問題点を解決できるスピーカーシステム及び音道形成方法を提供することを目的とする。
【課題を解決するための手段】
【０００６】
上記技術課題を達成するために、本発明にかかるスピーカーシステム及び音道形成方法は、下記の技術的手段を講じた。
すなわち、本発明にかかるスピーカーシステムは、キャビネット内に隔壁が設けられて、少なくとも第１空間部と第２空間部とが形成され、その第１空間部と第２空間部の双方にスピーカーが配設されてなるスピーカーシステムであって、前記第１空間部及び前記第２空間部を形成させる壁面に設けられ、外部と連通された一対の開口部と、前記キャビネットの外面からその開口部同士を被装可能に、かつ、着脱可能に形成され、な蓋状部材とを備えてなり、前記蓋状部材の使用の有無によって異なる音道を形成させることを特徴とする。
また、本発明にかかるスピーカーシステムは、前記発明において、前記キャビネット内に延出されるポートが設けられていることを特徴とする。
また、本発明にかかるスピーカーシステムは、前記発明において、前記蓋状部材は、前記開口部同士を連通可能に形成されていることを特徴とする。
また、本発明にかかるスピーカーシステムは、前記発明において、前記蓋状部材は、前記開口部同士を閉塞可能に形成されていることを特徴とする。
また、本発明にかかるスピーカーシステムは、前記発明において、前記蓋状部材は、前記開口部同士の夫々が外部へ連通するように形成されていることを特徴とする。
また、本発明にかかるスピーカーシステムは、前記発明において、前記蓋状部材は、前記開口部同士の夫々が前記スピーカー前面側に向かって外部へ連通するように形成されていることを特徴とする。
また、本発明にかかるスピーカーシステムは、前記蓋状部材は、前記発明の何れかの蓋状部材を選択的に使用可能に複数個からなることを特徴とする。
また、本発明にかかるスピーカーシステムは、前記発明の何れかにおいて、前記開口部は、前記第１空間部及び前記第２空間部を形成させる壁面のうち、前記スピーカーの背面側となる夫々の壁面に形成されてなることを特徴とする。
また、本発明にかかるスピーカーシステムにおける音道形成方法は、キャビネット内に隔壁を設けて形成した少なくとも第１空間部と第２空間部の双方にスピーカーを配設し、前記第１空間部及び前記第２空間部を形成した壁面の双方に外部と連通した開口部を設け、その開口部同士を連通、その開口部同士夫々を閉塞、その開口部同士夫々を個々に外部と連通して、音道を形成したことを特徴とする。
【発明の効果】
【０００７】
本発明によれば、キャビネット内に隔壁を設けて形成した少なくとも第１空間部と第２空間部の双方にスピーカーを配設し、前記第１空間部及び前記第２空間部を形成した壁面の双方に外部と連通した開口部を設け、キャビネットの外面からその開口部同士を被装可能に、かつ、着脱可能に形成した蓋状部材で、例えば、その開口部同士を連通、その開口部同士夫々を閉塞、その開口部同士夫々を個々に外部と連通して、音道を選択的に形成するから、異なる音質が得られるスピーカーシステムを提供できる。
【発明を実施するための最良の形態】
【０００８】
次に、本発明を実施するための最良の形態を、図面を参照して具体的に説明する。
本実施の形態にかかるスピーカーシステムは、ＣＤやＭＤ等の音楽再生が可能なポータブルタイプの音楽再生装置に組み込まれるものを例示しており、図１に示すように、キャビネット１と、蓋状部材２とを備えて構成される。
【０００９】
キャビネット１は、図１に示すように、音楽再生装置の外観形状を形成させる略中空の箱状に形成されており、そのキャビネット１内が２つの隔壁１１で仕切られて、左右に画設された第１空間部１ａと第２空間部１ｂ、この第１空間部１ａと第２空間部１ｂとの間に画設された第３空間部１ｃとを備えてなる。
【００１０】
この第１空間部１ａと第２空間部１ｂにはスピーカーＳが配設され、第３空間部１ｃには、ＣＤやＭＤ等の音楽再生機能を実現させるための実行部が配設される。
【００１１】
また、この第１空間部１ａと第２空間部１ｂには、その空間部を形成させる壁面のうち、スピーカーＳの背面側となる夫々の壁面に、キャビネット１内に延出される所要長さの管状のポート１２が設けられており、ポート１２の開口部１２ａを介して外部と第１空間部１ａ内及び第２空間部１ｂ内とが夫々連通されている。
【００１２】
また、図１〜図３に示すように、スピーカーＳの背面側となるキャビネット１の外壁面に、上記した開口部１２ａ同士を結ぶように凹湾曲した第１凹部１ｄが形成されており、その中間部（この中間部は第３空間部１ｃに位置する）から、キャビネット１の上壁面の中途部に亘って一対の断面視略凹字状の第２凹部１ｅが形成されている。この第２凹部１ｅの夫々の先端部は、キャビネット１の上壁面と面一となるように上方に向かって傾斜されている。
【００１３】
なお、この第１凹部１ｄと第２凹部１ｅは必ずしも形成する必要はないが、仮にこの第１凹部１ｄと第２凹部１ｅとを形成しない場合、必要な音道を形成させるために、後述する蓋状部材２の突出具合が大きくなるため、この第１凹部１ｄと第２凹部１ｅとを設けた方が好ましい。
【００１４】
蓋状部材２は、図１に示すように、第１の蓋状部材２１と、第２の蓋状部材２２と、第３の蓋状部材２３の、３つのタイプからなる。
第１の蓋状部材２１は、第１凹部１ｄと対応した凹湾曲状の第３凹部２１ａが形成されると共に、第２凹部１ｅ内に嵌合されるリブ２１ｂが並設され、さらに、その第３凹部２１ａの周囲が鍔状に形成された所要長さの蓋状に形成されている。
【００１５】
このように形成された第１の蓋状部材２１は、キャビネット１背面にその鍔状部が着脱可能に螺合されて、開口部１２ａ同士が連通されるようになっている（図４、図５参照）。
【００１６】
第２の蓋状部材２２は、第１凹部１ｄと対応した凹湾曲状の一対の第４凹部２２ａが形成されると共に、その一対の第４凹部２２ａは、第２凹部１ｅの手前で第１凹部１ｄ内に密着するように凸湾曲状の第１閉蓋部２２ｂが突設され、さらに、周囲が鍔状に形成された所要長さの蓋状に形成されている。
【００１７】
このように形成された第２の蓋状部材２２は、キャビネット１背面にその鍔状部が着脱可能に螺合されて、第２凹部１ｅの手前で開口部１２ａ同士が閉塞されるようになっている（図６、図７参照）。
【００１８】
第３の蓋状部材２３は、第１凹部１ｄと対応した凹湾曲状の一対の第５凹部２３ａが形成され、その一対の第５凹部２３ａは、一対の第２凹部１ｅ間で第１凹部１ｄ内に密着（閉塞）するように凸湾曲状の第２閉蓋部２３ｂが突設され、その第２凹部１ｅと対応するように断面視略凹字状の第６凹部２３ｃが形成され、さらに、周囲が鍔状に形成された所要長さの蓋状に形成されている。
【００１９】
このように形成された第３の蓋状部材２３は、キャビネット１背面にその鍔状部が着脱可能に螺合されて、夫々の開口部１２ａが、個々にスピーカーＳ前面側に向かって外部へ連通されるようになっている（図８、図９参照）。
【００２０】
以上のように構成された本実施の形態にかかるスピーカーシステムは、３つのタイプの蓋状部材２１，２２，２３を備えてなり、蓋状部材２の使用の有無や、蓋状部材２の選択によって異なる音道が形成可能になっている。以下、その蓋状部材２の使用の有無や、蓋状部材２の選択によって形成されるエンクロージャー（スピーカーボックス）としての形態を説明する。
【００２１】
（１）  蓋状部材２を使用しない場合
蓋状部材２を使用しない場合は、図２及び図３に示すように、第１空間部１ａと第２空間部１ｂは、夫々、バスレフ型タイプのエンクロージャーが形成されて、密閉型のエンクロージャーに比べて、低音再生限界を下げることができる。
【００２２】
（２）  第１の蓋状部材２１を使用した場合
第１の蓋状部材２１を使用した場合は、図４及び図５に示すように、第１空間部１ａと第２空間部１ｂとが連通した密閉型のエンクロージャーが形成されるが、内容積の変化に加えて左右のスピーカーＳの位相関係を利用することで、低音再生限界を下げることができる。
【００２３】
（３）  第２の蓋状部材２２を使用した場合
第２の蓋状部材２２を使用した場合は、図６及び図７に示すように、第１空間部１ａと第２空間部１ｂは、夫々、密閉型のエンクロージャーが形成されて、素直な音質を得ることができる。
【００２４】
（４）  第３の蓋状部材２３を使用した場合
第３の蓋状部材２３を使用した場合は、図８及び図９に示すように、第１空間部１ａと第２空間部１ｂは、夫々、バックロードホーン型のエンクロージャーが形成されて、高能率の独特な音質を得ることができる。
【００２５】
このように本実施の形態にかかるスピーカーシステムは、その開口部１２ａ同士を連通、その開口部１２ａ同士夫々を閉塞、その開口部１２ａ同士夫々を個々に外部と連通して、音道を選択的に形成するから、異なる音質が得られるスピーカーシステムを提供できる。
【００２６】
以上、具体的な実施の形態について説明したが、本発明は上記実施の形態に限定されず、発明の要旨を変更しない範囲で適宜変更して実施できることは言うまでもない。
【００２７】
例えば、本実施の形態にかかるスピーカーシステムは、夫々形状の異なる完成された蓋状部材２を用意しているが、この蓋状部材２を数個のパーツで構成して、第１〜３の蓋状部材２１、２２、２３を選択的に組み上げる形態にしても良い。
【００２８】
また、本実施の形態では、ＣＤやＭＤ等の音楽再生が可能なポータブルタイプの音楽再生装置に組み込まれるものを例示したが、本発明は、他のオーディオ機器やテレビ、スピーカシステム単体など、音を再生するものであれば適用可能である。
【００２９】
また、本発明は、開口部１２ａ同士を連通、その開口部１２ａ同士夫々を閉塞、その開口部１２ａ同士夫々を個々に外部と連通する方法であれば特に限定されない。
【図面の簡単な説明】
【００３０】
【図１】本実施の形態にかかるスピーカーシステムのキャビネットと３つのタイプの蓋状部材とを示した斜視図である。
【図２】蓋状部材を使用しない場合のスピーカーシステムの背面側斜視図である。
【図３】図２おける横断平面図である。
【図４】第１の蓋状部材を使用した場合のスピーカーシステムの背面側斜視図である。
【図５】図４おける横断平面図である。
【図６】第２の蓋状部材を使用した場合のスピーカーシステムの背面側斜視図である。
【図７】図６おける横断平面図である。
【図８】第２の蓋状部材を使用した場合のスピーカーシステムの背面側斜視図である。
【図９】図８おける横断平面図である。
【符号の説明】
【００３１】
１  キャビネット
１１  隔壁
１２  ポート
１２ａ  開口部
１ａ  第１空間部
１ｂ  第２空間部
１ｃ  第３空間部
１ｄ  第１凹部
１ｅ  第２凹部
２  蓋状部材
２１  第１の蓋状部材
２１ａ  第３凹部
２１ｂ  リブ
２２  第２の蓋状部材
２２ａ  第４凹部
２２ｂ  第１閉蓋部
２３  第３の蓋状部材
２３ａ  第５凹部
２３ｂ  第２閉蓋部
２３ｃ  第６凹部
Ｓ  スピーカー
【図１】
2007243534.tif 000003
【図２】
2007243534.tif 000004
【図３】
2007243534.tif 000005
【図４】
2007243534.tif 000006
【図５】
2007243534.tif 000007
【図６】
2007243534.tif 000008
【図７】
2007243534.tif 000009
【図８】
2007243534.tif 000010
【図９】
2007243534.tif 000011